(57)【要約】      （修正有）【課題】漢字などの型抜き文字またはキャラクターの型抜き絵を挟入紙になぞりがきすることで文字，絵を学習することができるクリアファイルを提供する。【解決手段】表面と背面とからなるクリアファイルの該表面に型抜き文字を羅列形成し、表面と背面間に挟入する挟入紙に該型抜き文字をなぞり書きして該型抜き文字を学習するようにし、また表面または背面にふち，目，鼻，口などを型抜きした型抜き絵を形成し、挟入する白紙に該型抜き絵を有色にてなぞり描きするとともにふち内の空白部分を着色埋めしてぬり絵としながら絵を学習するようにした型抜きクリアファイル。【選択図】図１
0003164615.tif 000002
【実用新案登録請求の範囲】
【請求項１】
表面と背面とからなるクリアファイルの該表面に型抜き文字を羅列形成し、表面と背面間に挟入する挟入紙に該型抜き文字をなぞり書きすることで該型抜き文字を学習するようにしたことを特徴とする型抜きクリアファイル。
【請求項２】
型抜き文字は漢字，片仮名，平仮名，英文字のいずれかである請求項１に記載の型抜きクリアファイル。
【請求項３】
クリアファイルの背面に表面の型抜き文字のふりがなを付す請求項１または２に記載の型抜きクリアファイル。
【請求項４】
クリアファイルの表面または背面にキャラクターのふち，目，鼻，口などを型抜きした型抜き絵を形成し、挟入紙に該型抜き絵を有色なぞり描きするとともにふち内の空白部分を着色埋めしてぬり絵を形成し、該ぬり絵を通して絵を学習する請求項１に記載の型抜きクリアファイル。
【考案の詳細な説明】
【技術分野】
【０００１】
この考案はクリアファイルの一面に型抜き文字または型抜き絵を形成して、挟入紙になぞることで文字の学習および絵の学習をすることができる型抜きクリアファイルに関するものである。
【背景技術】
【０００２】
従来、クリアファイルは表面に学習問題を印刷し、背面にその解答を記載したもの、または表面を有色にして解答が見えかくれするものがある。
【特許文献１】実用新案登録第３１５６２６１号公報
【特許文献２】実用新案登録第３１５２７５６号公報
【考案の開示】
【考案が解決しようとする課題】
【０００３】
しかしながら、従来のクリアファイルは挟入紙に文字または絵のなぞりがきができないという課題があった。
また、絵の学習ができないという課題があった。
【課題を解決するための手段】
【０００４】
本考案は、クリアファイルの表面に型抜き文字を羅列形成し、表面と背面間に挟入する挟入紙に該型抜き文字をなぞり書きして文字を学習するほか、表面にキャラクターのふち，目，鼻，口などを型抜きした型抜き絵を形成して、挟入紙に該型抜き絵を有色になぞり描きするとともに、ふち内の空白部分を着色埋めしてぬり絵を形成しながら絵の学習ができるようにして、かかる課題を解決したのである。
【考案の効果】
【０００５】
本考案のクリアファイルは漢字，片仮名，平仮名，英文字について幼児から老人までの生涯学習に大きく寄与することができるという効果を生ずる。
【０００６】
ぬり絵を通して絵の学習ができるという効果を生ずる。
【図面の簡単な説明】
【０００７】
【図１】第１実施例で、（ａ）は表面に難読漢字の型抜き文字、背面の対照位置にそのふりがなを付してなるクリアファイルの一部展開した状態と挟入紙を各別にて示す斜視図、（ｂ）はクリアファイルに挟入紙を挟入して背面のふりがなをかくした状態を示す斜視図
【図２】同、クリアファイルの閉じた状態と、型抜き文字をなぞり書き学習した挟入紙を示す正面図
【図３】同、二字熟語の例で、挟入紙を入れた状態と挟入紙を抜いた状態の斜視図
【図４】同、四字熟語の例を示す斜視図
【図５】第２実施例を示すもので、（ａ）は片仮名の型抜き文字、（ｂ）は平仮名の型抜き文字、（ｃ）はアルファベットの型抜き文字を設けたクリアファイルの斜視図、（ｄ）は型抜き文字の一部をなぞり書きした状態を示す挟入紙の正面図
【図６】第３実施例で、表面に魚偏と旁の組合わせにてなる型抜き文字の問題と背面にその解答を印刷した例を示すもので、（ａ）は解答が見えている状態、（ｂ）は挟入紙を挟み入れした問題の提示状態を示す正面図
【図７】同、（ａ）（ｂ）は鳥と旁の組合わせ例を示し、（ｃ）は背面の裏に解答の鳥のイラストを印刷した例を示す斜視図
【図８】第４実施例で、表面にキャラクター動物のふち，目，鼻，口，耳を型抜きした型抜き絵を設けたクリアファイル、（ｂ）は同、クリアファイルの型抜き絵をなぞり描きした挟入紙のふち内の空白部分を着色埋めしてぬり絵とした状態を示す正面図
【符号の説明】
【０００８】
１はクリアファイル
２は表面
３は型抜き文字
３ａは型抜き絵
４は背面
４ａは背面の裏
５はふりがな
６は挟入紙
７は解答
８は写真・イラスト
９はぬり絵
【考案を実施するための最良の形態】
【０００９】
本考案は、表面に例えば難解な漢字，四文字熟語など、または片仮名，平仮名，アルファベットの型抜き文字のいずれかを羅列形成し、背面の対照位置にふりがなを付してクリアファイルとする。
このクリアファイルは表面と背面の間に挟み入れる挟入紙を出し入れすることでふりがなの表出により表面の漢字などの読みを学習するほか、挟入紙に型抜き文字をなぞり書きして学習するのである。クリアファイルを見本にして白紙に型抜き文字を習い書き学習することもできる。
また、表面にキャラクターのふち，目，鼻，口などを型抜きした型抜き絵を形成し、挟入紙に絵を有色にてなぞり描きするとともに、ふち内の空白部分を着色埋めしてぬり絵を形成しながら絵の学習をすることができるようにする。
【実施例１】
【００１０】
図１乃至図４は第１実施例であって、クリアファイル１の表面２に複雑難解な多数の漢字，二字熟語，四字熟語の型抜き文字３を縦横に多数羅列形成し、背面４の対照位置にふりがな５を付してなる。
【００１１】
このクリアファイル１は、表面２と背面４間の挟入紙６を出し入れして背面４のふりがなを時折見るなどして羅列した多数の難解な型抜き文字を学習するほか、図２に示すように挟入紙６に型抜き文字３をなぞり書きＷして学習するのである。
【実施例２】
【００１２】
図５（ａ）（ｂ）は未就学幼児などに片仮名，平仮名を覚えさせるために、クリアファイル１の表面２に片仮名または平仮名のアイウエオ４８文字の型抜き文字３を設けたものであり、図５（ｃ）は英文字のアルファベットの型抜き文字３を表面２に設けたのである。
いずれも挟入紙６に型抜き文字３をなぞり書きすることで、片仮名，平仮名，英文字を容易に習うことができることとなる。
【実施例３】
【００１３】
図６（ａ）（ｂ）は、クリアファイル１の表面２に漢字の偏（へん）と旁（つくり）の組合わせになる型抜き文字３を形成して学習するようにした例であって、例えば、魚偏にいろいろな旁の漢字を組み合わせることでどのような読みの漢字になるのかを学習することができるものである。背面４に解答を印刷し、挟入紙６により解答７が見えかくれする点と型抜き文字３をなぞり書きして学習する点は前例と同じである。
また図７（ａ）（ｂ）は鳥と旁の例を示すものである。図７（ｃ）はさらに背面４の裏４ａに解答の鳥を示す写真・イラスト８などを印刷して学習を補助するようにしている。
【実施例４】
【００１４】
図８はクリアファイル１の表面２にキャラクター動物のふち，目，鼻，口などを型抜きした型抜き絵３ａを形成し、背面４との間に白紙６を挟み入れして表面２から型抜き絵３ａ部分を有色にてなぞり描きＷするとともに、ふち内の空白部分を着色埋めＣしてぬり絵９とするのである。
キャラクターとしては前例の動物のほか、例えば人形，虫，花，乗り物，食べ物，建築物、マンガのキャラクターなどが含まれる。このぬり絵を通して絵の学習をすすめることができることとなる。
【産業上の利用可能性】
【００１５】
本考案は、クリアファイルの表面に型抜き文字・絵を形成し、これをなぞりがきすることで難解な漢字，４文字熟語，片仮名，平仮名，英文字とおよび絵のいずれかを学習をすることができことで、幼児から老人までの生涯学習に幅広く利用することができることとなる。
【図１】
0003164615.tif 000003
【図２】
0003164615.tif 000004
【図３】
0003164615.tif 000005
【図４】
0003164615.tif 000006
【図５】
0003164615.tif 000007
【図６】
0003164615.tif 000008
【図７】
0003164615.tif 000009
【図８】
0003164615.tif 000010